【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】 
歯牙改質装置および改質剤は、所定の改質剤が表面に付与された歯牙に、改質剤または歯牙のいずれか一方または、その両方の励起を行う励起手段を備える歯牙改質装置である事を特徴とする歯牙改質装置および改質剤。 
【請求項２】 
歯牙改質装置および改質剤は、 
歯牙改質剤など所定の〜剤または所定の〜材を歯牙に保持する被覆物を備える事を特徴とする歯牙改質装置および改質剤。 
【請求項３】 
歯牙改質装置および改質剤は、 
歯牙改質剤など所定の〜剤または所定の〜材を歯牙に供給する供給手段を備える事を特徴とする歯牙改質装置および改質剤。 
【請求項４】 
請求項１から請求項３のいずれかの歯牙改質装置は、分子振動伝達手段を有する事を特徴とする歯牙改質装置。 
【請求項５】 
請求項１から請求項４のいずれかの歯牙改質装置は、その励起手段における励起時間を制御する、励起制御手段を有する事を特徴とする歯牙改質装置。 
【請求項６】 
請求項１から請求項５のいずれかの歯牙改質装置の励起手段によって励起が与えられる歯牙に付与される歯牙を構成する物質を含む改質剤。 
【請求項７】 
請求項１から請求項６のいずれかの改質剤は、 
少なくともアパタイト前駆体を含む事を特徴とする改質剤。 
【請求項８】 
請求項１から請求項７のいずれかの改質剤は、 
少なくとも易結合状態アパタイトを含む事を特徴とする改質剤。 
【請求項９】 
請求項１から請求項８のいずれかの改質剤は、 
少なくともアパタイト結合剤を含む事を特徴とする改質剤。 
【請求項１０】 
請求項１から請求項９のいずれかの改質剤は、 
少なくとも反応改善剤を含む事を特徴とする改質剤。 
【請求項１１】 
請求項１から請求項１０のいずれかの改質剤は、 
少なくともヒドロキシアパタイト、フルオロアパタイト、所定の元素アパタイト、非化学量論的アパタイト、ヒドロキシアパタイトの格子欠損物、ヒドロキシアパタイトの原子欠損物、Ｃａ欠損型アパタイト、リン酸欠損型アパタイト、ＯＨ欠損アパタイト、ＯＨ置換アパタイト、Ｃａ１０−ｘ（ＨＰＯ４）ｘ（ＰＯ４）６−ｘ（ＯＨ）２−ｘ（ｎ・Ｈ２Ｏ）ここでｘは０〜１でｎは０〜２のいずれかまたは、そのいずれかの組み合わせを含むことを特徴とする改質剤。 
【請求項１２】 
請求項１から請求項１１のいずれかの改質剤は、 
少なくともカルシウムイオン、燐酸イオン、水酸イオン、無機イオン、有機イオン、Ｈ２Ｏ、酸化還元電位を調整したＨ２Ｏまたは、その供給物のいずれかまたは、その組み合わせを含む流動性を有することを特徴とする改質剤。 
【請求項１３】 
請求項１から請求項１２のいずれかの改質剤は、 
少なくともＣａ3（ＰＯ４）２、Ｃａ4（ＰＯ４）２Ｏ、Ｃａ５（ＰＯ４）3ＯＨ、またはＣａｎ（ＰＯ４）ｍ・Ｘ、ＣａｎＨｚ（ＰＯ４）ｍ・Ｘで（ｎ＞０、ｍ＞０、ｚ＞０、Ｘは所定の物質または無し）あらわせる化合物のいずれかまたは、そのいずれかの組み合わせを含むことを特徴とする改質剤。 
【請求項１４】 
請求項１から請求項１３のいずれかの改質剤は、 
少なくともＣａＯ、ＣａＣＯ3 、ＣａＨ（ＰＯ４）、ＣａＨ（ＰＯ４）・２Ｈ２ Ｏ、Ｃａ（Ｈ２ＰＯ４）２、ＣａＨ２（ＰＯ４）（ＯＨ）、ＣａＣｌ２ 、Ｃａ（ＯＨ）２ 、Ｃａ（ＮＯ3) ２ 、Ｈ3（ＰＯ４ ）、ＫＨ２（ＰＯ４ ）、（ＮＨ4)２Ｈ（ＰＯ４ ）、ＮＨ4 （ＯＨ）、ＮＨ4 Ｈ２（ＰＯ４ ）、ＮＨ4 ＯＨ、ＣａＦ２、Ｐ２Ｏ５，Ｐ２Ｏ７４−、Ｃａ２Ｐ２Ｏ７、Ｃａ２Ｈ２（ＰＯ４）２、Ｃａ２（ＰＯ４）（ＯＨ）、Ｃａ２Ｈ（ＰＯ４）（ＯＨ）２、Ｃａ２Ｈ（ＰＯ４）Ｏ、Ｃａ3Ｈ（ＰＯ４）２（ＯＨ）、Ｃａ3Ｈ２（ＰＯ４）２（ＯＨ）２、Ｃａ3Ｈ２（ＰＯ４）２Ｏ、Ｃａ4（ＰＯ４）２（ＯＨ）２、Ｃａ4Ｈ（ＰＯ４）３、Ｃａ4Ｈ２（ＰＯ４）３（ＯＨ）、Ｃａ５Ｈ（ＰＯ４）3（ＯＨ）２、Ｃａ５Ｈ（ＰＯ４）3Ｏ、Ｃａ５Ｈ２（ＰＯ４）４、Ｃａ６（ＰＯ４）４、Ｃａ６Ｈ（ＰＯ４）４（ＯＨ）、Ｃａ６Ｈ２（ＰＯ４）４Ｏ、Ｃａ６Ｈ２（ＰＯ４）４（ＯＨ）２、Ｃａ７（ＰＯ４）４（ＯＨ）２、Ｃａ７（ＰＯ４）４Ｏ、Ｃａ７Ｈ（ＰＯ４）５、Ｃａ７Ｈ２（ＰＯ４）５（ＯＨ）、Ｃａ８（ＰＯ４）５（ＯＨ）、Ｃａ８Ｈ（ＰＯ４）５（ＯＨ）２、Ｃａ８Ｈ（ＰＯ４）５Ｏ、Ｃａ８Ｈ２（ＰＯ４）６、Ｃａ８Ｈ２（ＰＯ４）６・３Ｈ２Ｏ、Ｃａ８Ｈ２（ＰＯ４）６．ｎＨ２Ｏ（ｎ＞０）、Ｃａ９（ＨＰＯ４）２（ＰＯ４）４（ＯＨ）2、Ｃａ９（ＨＰＯ４）（ＰＯ４）５（ＯＨ）、Ｃａ９（ＨＰＯ４）（ＰＯ４）５（ＯＨ）（Ｈ２Ｏ）、Ｃａ９（ＨＰＯ４）（ＰＯ４）５（ＯＨ）（２．５Ｈ２Ｏ）、Ｃａ９（ＰＯ４）６、アルミナ，ジルコニア、ＴｉＯ２，ＳｉＯ２、ＳｉＣのいずれかまたは、そのいずれかの組み合わせを含むことを特徴とする改質剤。 
【請求項１５】 
請求項１から請求項１４のいずれかの改質剤は、 
少なくともコラーゲンまたはコンドロイチン硫酸のいづれかまたはその両方を含むことを特徴とする改質剤。 
【請求項１６】 
請求項１または請求項１５のいずれかの改質剤は、 
少なくとも顔料を含むことを特徴とする改質剤。 
【請求項１７】 
請求項１から請求項１６のいずれかの改質剤は、 
少なくともフッ素を含むことを特徴とする改質剤。 
【請求項１８】 
請求項１から請求項１７のいずれかの改質剤は、 
少なくともリン酸塩を含むことを特徴とする改質剤。 
【請求項１９】 
請求項１から請求項１８のいずれかの改質剤は、 
少なくともレジン、レジン前駆体、セラミックス、セラミック前駆体のいずれかまたは、そのいずれかの組み合わせを含む、または添加ことを特徴とする改質剤。 
【請求項２０】 
請求項１から請求項１９のいずれかの改質剤は、 
少なくともグルコースやグルカンなど有機物を含む、または添加することを特徴とする改質剤。 
【手続補正２】
【補正対象書類名】明細書
【補正対象項目名】０００５
【補正方法】変更
【補正の内容】
【０００５】
〔請求項２の手段〕 
歯牙改質装置および改質剤は、 
歯牙改質剤など所定の〜剤または所定の〜材を歯牙に保持する被覆物を備える。
【手続補正３】
【補正対象書類名】明細書
【補正対象項目名】０００６
【補正方法】変更
【補正の内容】
【０００６】
〔請求項３の手段〕 
歯牙改質装置および改質剤は、 
歯牙改質剤など所定の〜剤または所定の〜材を歯牙に供給する供給手段を備え 
る。
【手続補正４】
【補正対象書類名】明細書
【補正対象項目名】０００７
【補正方法】変更
【補正の内容】
【０００７】
〔請求項４の手段〕 
請求項１から請求項３のいずれかの歯牙改質装置は、分子振動伝達手段を有する。 
【手続補正５】
【補正対象書類名】明細書
【補正対象項目名】００１５
【補正方法】変更
【補正の内容】
【００１５】
〔請求項１２の手段〕 
請求項１から請求項１１のいずれかの改質剤は、 
少なくともカルシウムイオン、燐酸イオン、水酸イオン、無機イオン、有機イオン、Ｈ２Ｏ、酸化還元電位を調整したＨ２Ｏまたは、その供給物のいずれかまたは、その組み合わせを含む流動性を有することを特徴とする。
【手続補正６】
【補正対象書類名】明細書
【補正対象項目名】００１８
【補正方法】変更
【補正の内容】
【００１８】
〔請求項１５の手段〕 
請求項１から請求項１４のいずれかの改質剤は、 
少なくともコラーゲンまたはコンドロイチン硫酸のいづれかまたはその両方を含むことを特徴とする。
【手続補正７】
【補正対象書類名】明細書
【補正対象項目名】００１９
【補正方法】変更
【補正の内容】
【００１９】
〔請求項１６の手段〕 
請求項１または請求項１５のいずれかの改質剤は、 
少なくとも顔料を含むことを特徴とする。
【手続補正８】
【補正対象書類名】明細書
【補正対象項目名】００２５
【補正方法】変更
【補正の内容】
【００２５】
〔請求項２の作用および効果〕 
歯牙改質装置および改質剤は、 
歯牙改質剤など所定の〜剤または所定の〜材を歯牙に保持する被覆物を備えるので、  所定の〜剤または所定の〜材を歯牙に保持することができるし、反応改善を行える。   
【手続補正９】
【補正対象書類名】明細書
【補正対象項目名】００２６
【補正方法】変更
【補正の内容】
【００２６】
〔請求項３の作用および効果〕 
歯牙改質装置および改質剤は、 
歯牙改質剤など所定の〜剤または所定の〜材を歯牙に供給する供給手段を備え 
るので、  所定の〜剤または所定の〜材を歯牙に供給できる。 
【手続補正１０】
【補正対象書類名】明細書
【補正対象項目名】００２７
【補正方法】変更
【補正の内容】
【００２７】
〔請求項４の作用および効果〕 
請求項１から請求項３のいずれかの歯牙改質装置は、分子振動伝達手段を有することを特徴とするので接触面積を大きくとれるので、そのような場合には効率があがる。 
【手続補正１１】
【補正対象書類名】明細書
【補正対象項目名】００３５
【補正方法】変更
【補正の内容】
【００３５】
〔請求項１２の作用および効果〕
請求項１から請求項１１のいずれかの改質剤は、
少なくともカルシウムイオン、燐酸イオン、水酸イオン、無機イオン、有機イオン、Ｈ２Ｏ、酸化還元電位を調整したＨ２Ｏまたは、その供給物のいずれかまたは、その組み合わせを含む流動性を有することを特徴とするので、アパタイトの結晶（成長または整合）を向上させることができる。またH2Oは、酸化還元電位を調整して反応速度や、結晶性の制御を行っても良い。などの効果がある。
【手続補正１２】
【補正対象書類名】明細書
【補正対象項目名】００３８
【補正方法】変更
【補正の内容】
【００３８】
〔請求項１５の作用および効果〕 
請求項１から請求項１４のいずれかの改質剤は、 
少なくともコラーゲンまたはコンドロイチン硫酸のいづれかまたはその両方を含むことを特徴とするので象牙質の改善ができる。
【手続補正１３】
【補正対象書類名】明細書
【補正対象項目名】００３９
【補正方法】変更
【補正の内容】
【００３９】
〔請求項１６の作用および効果〕 
請求項１または請求項１５のいずれかの改質剤は、 
少なくとも顔料を含むことを特徴とするので、色が調整できる、
【手続補正１４】
【補正対象書類名】明細書
【補正対象項目名】００７７
【補正方法】変更
【補正の内容】
【００７７】
上記実施例において励起手段は、主に直接振動を付与する分子振動付与や電磁波を介して物質を励起する電磁波照射手段のほかに、加熱手段や機械的振動付与手段などを励起手段としても良い。一例として熱風を付与したり、ヒーターを直接または間接的に付与したり、化学反応の反応熱や、可能なら炎であぶるなどしても良い。
ここに旧請求項２と旧請求項４の作用および効果を移転する。 
〔旧請求項２の作用および効果〕
請求項１における歯牙改質装置は、分子振動付与手段が励起手段である事を特徴とするので、電磁波を介せずか、またはほとんど介せずに直接分子振動を付与できる。
〔旧請求項４の作用および効果〕
請求項１における歯牙改質装置は、熱励起手段が励起手段である事を特徴とするので、装置が簡単で、安価になる。